【手続補正書】
【提出日】平成23年1月19日(2011.1.19)
【手続補正１】
【補正対象書類名】特許請求の範囲
【補正対象項目名】全文
【補正方法】変更
【補正の内容】
【特許請求の範囲】
【請求項１】
少なくとも１つのエンボス加工線要素を含むエンボス加工面を有する剛性エンボス加工ロールと、
前記剛性エンボス加工ロールに対向するエラストマー被覆ロールとを含み、
前記少なくとも１つのエンボス加工線要素は、トップ部とステップ部を含み、
前記トップ部は、第１の縁及び該第１の縁の反対側の第２の縁並びに該第１の縁と該第２の縁の間で計測された幅Ａを有し、
前記ステップ部は、前記第１の縁又は第２の縁のいずれかに隣接して配置され、且つ、ライザ部とランド部とを有し、前記ランド部は、前記エンボス加工線要素の側壁と前記ライザ部の間で計測された幅Ｂを有し、前記ライザ部は、前記エンボス加工線要素の基部に対して直交する軸線に沿って前記ランド部と前記トップ部の間で計測された縦方向の高さＣを有し、
ここで、Ａは約０．０１０インチ（０．２５４ｍｍ）乃至約０．１００インチ（２．５４ｍｍ）の間であり、Ｂは約０．０１０インチ（０．２５４ｍｍ）乃至約０．１００インチ（２．５４ｍｍ）の間であり、Ｃは約０．００２５インチ（０．０６３５ｍｍ）乃至約０．０１５インチ（０．３８１ｍｍ）の間であり、Ｃ／Ｂの比は約０．２５乃至約１．５の間であり、Ａ／Ｂの比は約０．１乃至約１０．０の間であることを特徴とする装置。
【請求項２】
前記少なくとも１つのエンボス加工線要素は、前記側壁が前記基部と交わる該要素の部分に沿って計測された長さＬを含み、Ｌ／（Ａ＋Ｂ）の比は、約３．０よりも大きいことを特徴とする請求項１に記載の装置。
【請求項３】
Ａは約０．０１０インチ（０．２５４ｍｍ）乃至約０．０２０インチ（０．５０８ｍｍ）の間、及び／又はＢは約０．０１０インチ（０．２５４ｍｍ）乃至約０．０２０インチ（０．５０８ｍｍ）の間、及び／又はＣは約０．００４インチ（０．１０１６ｍｍ）乃至約０．０１０インチ（０．２５４ｍｍ）の間であることを特徴とする請求項１に記載の装置。
【請求項４】
Ａは約０．０２０インチ（０．５０８ｍｍ）乃至約０．０４０インチ（１．０１６ｍｍ）の間、及び／又はＢは約０．０２０インチ（０．５０８ｍｍ）乃至約０．０４０インチ（１．０１６ｍｍ）の間であるか；若しくはＡは約０．０２０インチ（０．５０８ｍｍ）乃至約０．０４０インチ（１．０１６ｍｍ）の間、及び／又はＢは約０．０２０インチ（０．５０８ｍｍ）乃至約０．０４０インチ（１．０１６ｍｍ）の間、及び／又はＣは約０．００４インチ（０．１０１６ｍｍ）乃至約０．０１０インチ（０．２５４ｍｍ）の間であることを特徴とする請求項１に記載の装置。
【請求項５】
前記ステップ部に沿って配置され、前記トップ部の前記第１又は第２の縁に沿って複数個のノッチ部を形成する複数個のインテグラルブロックを含むことを特徴とする請求項１に記載の装置。
【請求項６】
前記トップ部の前記第１及び第２の縁両方に隣接して配置されたステップ部、並びに、前記両方のステップ部に沿って配置され前記第１及び第２の縁の両方に沿って複数個のノッチ部を形成する複数個のインテグラルブロックを含み、前記複数個のノッチ部は前記第１の縁から前記第２の縁に互い違いにオフセットして配置され、ノッチ部は、前記第１の縁から前記第２の縁までの全間隔にわたって延在しないことを特徴とする請求項１に記載の装置。
【請求項７】
少なくとも１つのエンボス加工線要素を含むエンボス加工面を有する剛性エンボス加工ロールと、
前記剛性エンボス加工ロールに対向するエラストマー被覆ロールとを含み、
前記少なくとも１つのエンボス加工線要素は、トップ部と複数個のノッチ部を含み、
前記トップ部は、第１の縁及び該第１の縁の反対側の第２の縁を有し、
前記複数個のノッチ部は、前記第１の縁又は第２の縁のいずれかに沿って配置され、各ノッチ部は、前記第１の縁又は第２の縁の内側寄りに凹部上端縁を有し、
前記トップ部は、前記第１の縁又は第２の縁と前記ノッチ部の前記凹部上端縁との間で計測された幅Ａを有し、
各ノッチ部は、前記凹部上端縁と前記第１又は第２の縁の間で計測された幅Ｘを有し、
各ノッチ部は、エンボス加工線要素の基部に対して直交する軸線に沿って、エンボス加工線要素の第１又は第２の側壁に前記ノッチ部が交わる下方外縁とトップ部の間で計測された高さＣを有し、
前記少なくとも１つのエンボス加工線要素は、前記第１又は第２の側壁が前記基部と交わる該要素の部分に沿って計測された長さＬを含み、
各ノッチ部は、前記第１又は第２の縁のいずれかに平行に計測された長さＤを有し、
ここで、Ａは約０．０１０インチ（０．２５４ｍｍ）乃至約０．１００インチ（２．５４ｍｍ）の間であり、Ｘは約０．０１０インチ（０．２５４ｍｍ）乃至約０．１００インチ（２．５４ｍｍ）の間であり、Ｃは約０．００２５インチ（０．０６３５ｍｍ）乃至約０．０１５インチ（０．３８１ｍｍ）の間であり、Ｄは約０．００５インチ（０．１２７ｍｍ）乃至０．０１５インチ（０．３８１ｍｍ）の間であり、Ｃ／Ｘの比は約０．２５乃至約１．５の間であり、Ａ／Ｘの比は約０．１乃至１０．０の間であることを特徴とする装置。
【請求項８】
複数個のノッチ部が、前記第１及び第２の縁の両方に沿って配置され、ノッチ部は、前記第１の縁から前記第２の縁までの全間隔にわたって延在しないことを特徴とする請求項７に記載の装置。
【請求項９】
前記複数個のノッチ部は、前記第１の縁から前記第２の縁に互い違いにオフセットして配置されていることを特徴とする請求項８に記載の装置。
【請求項１０】
Ａは約０．０２０インチ（０．５０８ｍｍ）乃至約０．０４０インチ（１．０１６ｍｍ）の間であり、Ｘは約０．０２０インチ（０．５０８ｍｍ）乃至約０．０４０インチ（１．０１６ｍｍ）の間であり、Ｃは約０．００４インチ（０．１０１６ｍｍ）乃至約０．０１０インチ（０．２５４ｍｍ）の間であり、Ｄは約０．００８インチ（０．２０３２ｍｍ）乃至約０．０１５インチ（０．３８１ｍｍ）の間であることを特徴とする請求項７に記載の装置。
【請求項１１】
少なくとも１つのエンボス加工線要素を含むエンボス加工面を有する剛性エンボス加工ロールと、
前記剛性エンボス加工ロールに対向するエラストマー被覆ロールとを含み、
前記少なくとも１つのエンボス加工線要素は、トップ部と複数個のくぼみを有し、前記トップ部は第１の縁及び該第１の縁の反対側の第２の縁を有し、
前記複数個のくぼみは前記トップ部に配置され、
各くぼみは、各くぼみを囲む内側上端縁を有しており、
前記トップ部は、前記第１又は第２の縁と前記内側上端縁の間で計測された幅Ａを有し、
各くぼみは、前記第１又は第２の縁に平行に計測された長さＤを有し、
各くぼみは、前記長さＤに対して直角の方向で計測された幅Ｘを有し、
各くぼみは、前記エンボス加工線要素の基部に対して直交する軸線に沿って前記トップ部とランド部の間で縦方向に計測された深さＣを有し、
前記少なくとも１つのエンボス加工線要素は、前記第１又は第２の側壁が前記基部に交わる部分で前記要素に沿って計測された長さＬを有し、
ここで、Ａは約０．０１０インチ（０．２５４ｍｍ）乃至約０．１００インチ（２．５４ｍｍ）の間であり、Ｘは約０．０１０インチ（０．２５４ｍｍ）乃至約０．１００インチ（２．５４ｍｍ）の間であり、Ｃは約０．００２５インチ（０．０６３５ｍｍ）乃至約（Ｘ−０．００５インチ（０．１２７ｍｍ））／（２＊ｔａｎ（３度））の間であり、Ｄは約０．００５インチ（０．１２７ｍｍ）乃至約Ｌ−２Ａの間であり、Ｃ／Ｘの比は約０．２５乃至約７．０の間であり、Ａ／Ｘの比は約０．１乃至約１０．０の間であることを特徴とする装置。
【請求項１２】
Ｌ／（２Ａ＋Ｘ）の比は、約３．０よりも大きいことを特徴とする請求項１１に記載の装置。
【請求項１３】
前記くぼみは、実質的に四角形状であることを特徴とする請求項１若しくは１１に記載の装置。
【請求項１４】
Ａは約０．０１０インチ（０．２５４ｍｍ）乃至約０．０２０インチ（０．５０８ｍｍ）の間であり、Ｘは約０．０１０インチ（０．２５４ｍｍ）乃至約０．０２０インチ（０．５０８ｍｍ）の間であり、Ｃは約０．０１０インチ（０．２５４ｍｍ）乃至約０．０２０インチ（０．５０８ｍｍ）の間であり、Ｄは約０．００８インチ（０．２０３２ｍｍ）乃至約０．０１５インチ（０．３８１ｍｍ）の間であることを特徴とする請求項７若しくは１１に記載の装置。
【請求項１５】
Ａは約０．０１５インチ（０．３８１ｍｍ）乃至約０．０３０インチ（０．７６２ｍｍ）の間であり、Ｘは約０．０１０インチ（０．２５４ｍｍ）乃至約０．０２０インチ（０．５０８ｍｍ）の間であり、Ｃは約０．００４インチ（０．１０１６ｍｍ）乃至約０．０１０インチ（０．２５４ｍｍ）の間であり、Ｄは約０．００８インチ（０．２０３２ｍｍ）乃至約０．０１５インチ（０．３８１ｍｍ）の間であることを特徴とする請求項１１に記載の装置。